(57)【要約】      （修正有）【課題】型枠の取外し作業に際して、軸足を取り外して型枠を撤去することができ、また型枠（コンパネ等）の損傷を招くこともないので型枠材料の再利用が促進できる型枠支持用コーンを提供する。【解決手段】型枠側を大きい径としたテーパ型コーン本体の中心部のほぼ全長に金属製の雌ネジ筒が埋設されており、その内端側にセパレータがネジ込み可能であり、また雌ネジ筒の外端側にはコンクリート型枠を挟んで軸足の内端部がネジ込み可能とした型枠支持用コーンであって、前記雌ネジ筒の内端側にセパレータの端部をネジ込み、その外端側にはコンクリート型枠を挟んで軸足の内端部をネジ込み、軸足の外端部に型枠締付杆を螺着してコンクリート型枠を固定し、この型枠内に打設したコンクリートが固化した後、軸足を取り外し、型枠を撤去するために使用できるようにしたことを特徴とする。【選択図】図１
0003116063.tif 000002
【実用新案登録請求の範囲】
【請求項１】
型枠側を大きい径としたテーパ型コーン本体の中心部のほぼ全長に金属製の雌ネジ筒が埋設されており、そして前記雌ネジ筒の内端側にセパレータがネジ込み可能であり、また雌ネジ筒の外端側にはコンクリート型枠を挟んで軸足の内端部がネジ込み可能とした型枠支持用コーンであって、前記雌ネジ筒の内端側にセパレータの端部をネジ込み、雌ネジ筒の外端側にはコンクリート型枠を挟んで軸足の内端部をネジ込み、軸足の外端部に型枠締付杆を螺着してコンクリート型枠を固定し、この型枠内に打設したコンクリートが固化した後、軸足を取り外し、型枠を撤去するために使用できるようにしたことを特徴とする型枠支持用コーン。
【請求項２】
前記型枠支持用コーンが、テーパ型コーン本体全体を中実な構造物としたことを特徴とする請求項１に記載の型枠支持用コーン。
【請求項３】
前記金属製の雌ネジ筒が、テーパ型コーン本体の小さい径の側にフランジを設けたことを特徴とする請求項１または２に記載の型枠支持用コーン。
【考案の詳細な説明】
【技術分野】
【０００１】
この考案は型枠支持用コーンに関するもので、特にこの考案は、コーン本体の中心部に金属製の雌ネジ筒が埋設してある型枠支持用コーンであって、セパレータと、軸足とを雌ネジ筒に取り付けることができ、型枠支持用コーンと型枠締付杆とによって固定されるコンクリート型枠内にコンクリートを打設成型し、コンクリートが固化した後、軸足を取り外して、型枠を撤去することができるようにした型枠支持用コーンに関する。
【背景技術】
【０００２】
コンクリート壁の構築にあたっては、図８に示すように、セパレータ４の両端部（この図では一端部のみを示す）を、コーン本体２と、片方に軸足部６を備えた雌ネジ筒３とからなる型枠支持用コーン１の雌ネジ筒３の内端側にネジ込み、軸足部６をコンクリート型枠５から突き出させ、この軸足部６の外端部に型枠締付杆（フォームタイ  図示せず）を螺着してコンクリート型枠５を固定し、この型枠５内に打設したコンクリートＣが固化した後、型枠５を撤去し、そしてコーン本体２を取り外して空洞となった空洞部７にモルタルを充填し、その空洞部７を埋めるようにしている。
【０００３】
また特開２００１−１７３２３２公報（特許文献１参照）には、コーン本体の中心部に金属製の雌ネジ筒が埋設されている型枠支持用コーンの雌ネジ筒の内端側にセパレータの端部をネジ込み、雌ネジ筒の外端側にはコンクリート型枠を挟んで軸足の内端部をネジ込み、軸足の外端部に型枠締付杆を螺着してコンクリート型枠を固定し、この型枠内に打設したコンクリートが固化した後、軸足を取り外し、型枠を撤去するようにしたコンクリート壁構築方法において、雌ネジ筒の外端面がコーン本体の外端面より内方へ没入した型枠支持用コーンを使用し、軸足を取り外して空洞となったコーンの空洞部に合成樹脂またはゴム製の鍔を前記空洞部を覆うようにして且つ該鍔の内側に突設した環状突起が該空洞部の内面を押圧するようにしてネジ込み手段によってネジ込み充填してなることを特徴とするコンクリート壁構築方法が示されている。
【特許文献１】特開２００１−１７３２３２公報
【考案の開示】
【考案が解決しようとする課題】
【０００４】
図８に示す従来例においては、コーン本体と、片方に軸足部を備えた雌ネジ筒とからなる型枠支持用コーンの雌ネジ筒の内端側にネジ込み、軸足部をコンクリート型枠から突き出させている。したがって、軸足部に型枠締付杆を螺着してコンクリート型枠を固定し、この型枠内に打設したコンクリートが固化した後に型枠を撤去しようとすると、軸足が型枠の取外し作業の邪魔になったり、型枠（コンパネ等）の損傷を招いて型枠材料の再利用が難しくなってしまうという欠点があった。
【０００５】
また特開２００１−１７３２３２公報（特許文献１参照）の型枠支持用コーンには、雌ネジ筒の外端面がコーン本体の外端面より内方へ没入した型枠支持用コーンを使用し、軸足を取り外して空洞となったコーンの空洞部に合成樹脂またはゴム製の鍔を前記空洞部を覆うようにネジ込んだ型枠支持用コーンが示されている。この例では、軸足をコーン本体から取外し可能としているが、型枠支持用コーンを雌ネジ筒の外端面がコーン本体の外端面より内方へ没入した構造としており、埋設型の型枠支持用コーンであってコンクリートとプラスチック製の型枠支持用コーンの収縮率が異なるために隙間ができて水が侵入しやすく、また雌ネジ筒の外端面に設けた没入部分に打設したコンクリートが目詰まりを起しやすいという問題があった。
【０００６】
この考案は、上記のような課題に鑑み、型枠の取外し作業に際して、軸足を取り外して型枠を撤去することができるので、軸足が型枠の取外し作業の邪魔になることがなく、また型枠（コンパネ等）の損傷を招くこともないので型枠材料の再利用が促進できる型枠支持用コーンを提供することを目的とする。
それとともに、埋設型もしくは着脱可能な型枠支持用コーンであり、型枠支持用コーンの除去後の凹所を同じ収縮率のモルタルで埋めるので隙間ができなくて水等が侵入せず、雌ネジ筒の外端面に没入部分がないので、打設したコンクリートが目詰まりを起すことのない型枠支持用コーンの提供をも目的とするものである。
【課題を解決するための手段】
【０００７】
すなわち、請求項１に係る考案の型枠支持用コーンは、型枠側を大きい径としたテーパ型コーン本体の中心部のほぼ全長に金属製の雌ネジ筒が埋設されており、そして前記雌ネジ筒の内端側にセパレータがネジ込み可能であり、また雌ネジ筒の外端側にはコンクリート型枠を挟んで軸足の内端部がネジ込み可能とした型枠支持用コーンであって、前記雌ネジ筒の内端側にセパレータの端部をネジ込み、雌ネジ筒の外端側にはコンクリート型枠を挟んで軸足の内端部をネジ込み、軸足の外端部に型枠締付杆を螺着してコンクリート型枠を固定し、この型枠内に打設したコンクリートが固化した後、軸足を取り外し、型枠を撤去するために使用できるようにしたことを特徴とするものである。
【０００８】
請求項２に係る考案の型枠支持用コーンは、前記型枠支持用コーンが、テーパ型コーン本体全体を中実な構造物としたことをも特徴とするものである。
【０００９】
請求項３に係る考案の型枠支持用コーンは、前記金属製の雌ネジ筒が、テーパ型コーン本体の小さい径の側にフランジを設けたことをも特徴とするものである。
【考案の効果】
【００１０】
請求項１に係る考案によれば、型枠の取外し作業に際して、軸足を取り外して型枠を撤去することができるので、軸足が型枠の取外し作業の邪魔になることがなく、また型枠（コンパネ等）の損傷を招くこともないので型枠材料の再利用が促進できる型枠支持用コーンを提供することが可能となった。
また埋設型もしくは着脱可能な併用型の型枠支持用コーンの提供をも可能とするものである。型枠支持用コーンを除去する場合はその凹所をコンクリートと収縮率が同じモルタルで埋めるので隙間ができず、水等の侵入が防止できる。
【００１１】
請求項２に係る考案によれば、雌ネジ筒の外端面に没入部分がないので、打設したコンクリートが目詰まりを起すことのない型枠支持用コーンを提供することが可能となった。
【００１２】
また請求項３に係る考案によれば、前記金属製の雌ネジ筒が、テーパ型コーン本体の小さい径の側にフランジを設けられているので、軸足の外端部に型枠締付杆を螺着してコンクリート型枠を固定する際にかかる負荷を前記フランジで確実に受け止めることができ、製造が容易で強度的にも問題のない型枠支持用コーンを提供することが可能となった。
【考案を実施するための最良の形態】
【００１３】
以下この考案の型枠支持用コーンの実施の形態を、図面に基いて詳細に説明する。
図１はこの考案の型枠支持用コーンの１実施例を示す側面図、図２はその正面図、図３はその背面図、図４は型枠の組立完了の状態を示す側面図、図５は型枠の脱型の第１手順を示す側面図、図６は型枠の脱型の第２手順を示す側面図、図７は型枠の脱型の第３手順を示す側面図である。
【００１４】
図１ないし図３に示すように、型枠支持用コーン１１は、型枠側を大きい径としたテーパ型コーン本体１２と、このコーン本体１２のほぼ全長に、コーン本体１２の中心部に同心状に埋設された金属製の雌ネジ筒１３とで構成されている。
この型枠支持用コーン１１は、強度のある合成樹脂製からなり、好ましくは打設コンクリートとの馴染みが良い素材を用いることが望ましい。また、金属製の雌ネジ筒１３内には雌ネジ部１４が形成されている。
【００１５】
そして前記雌ネジ筒１３の内端側にはセパレータ１５がネジ込み可能であり、また雌ネジ筒１３の外端側にはコンクリート型枠１７（メタル、コンパネ等）を挟んで、全長にわたって雄ネジを形成した軸足１６の内端部がネジ込み可能となっている。
【００１６】
この考案の型枠支持用コーン１１はまた、テーパ型コーン本体１２の全体を中実な構造物としたことをも特徴としている。すなわち、テーパ型コーン本体１２の雌ネジ筒１３の外端面に凹所がないので、打設したコンクリートが目詰まりを起すことがなく、その後の目詰まり除去作業が不要となる。
【００１７】
さらにこの考案の型枠支持用コーン１１は、前記金属製の雌ネジ筒１３が、テーパ型コーン本体１２の小さい径の側にフランジ１８を設けたことをも特徴としている。このフランジ１８は、軸足１６の外端部に型枠締付杆（フォームタイ  図示せず）を螺着してコンクリート型枠１７を固定する際にかかる負荷を確実に受け止めることができ、製造が容易で強度的にも問題のない型枠支持用コーンを提供することが可能である。
【００１８】
次に、この考案の型枠支持用コーン１１を用いたコンクリート壁構築手順について、図４〜図７を参照して説明する。
先ず、図４に示すように、前記雌ネジ筒１３の内端側にセパレータ１５の端部をネジ込み、雌ネジ筒１３の外端側にはコンクリート型枠１７を挟んで軸足１６の内端部をネジ込み、軸足１６の外端部に型枠締付杆（フォームタイ  図示せず）を螺着して、コンクリート型枠１７を固定する。
【００１９】
次に図５に示すように、このコンクリート型枠１７内に打設したコンクリートが固化した後、型枠締付杆（フォームタイ  図示せず）を取り外した後、軸足１６をも取り外す。
その後、図６に示すように、コンクリート型枠１７を撤去するのであるが、軸足１６がすでに取り外してあるのでコンクリート型枠１７の取外し作業の邪魔になったり、コンクリート型枠１７（コンパネ等）の損傷を招いて型枠材料の再利用が難しくなってしまうという問題がなくなった。
【００２０】
特に曲線を持つ構造物の内側のコンクリート型枠１７の脱型において、コンクリート型枠１７に無理な力を負荷させることがないので、脱型時の転落事故の防止につながる。
さらに、このコンクリート型枠１７の撤去に際しては、コンクリート型枠１７上部に玉掛けすることにより、一度に多量のコンクリート型枠１７を脱型することは可能となり、作業能率が向上する上、コンクリート型枠１７の手渡しをしなくて済むのでコンクリート型枠１７の落下事故を防止することができる。
コンクリート型枠１７が撤去されると、型枠支持用コーン１１のコーン本体１２の外端面がコンクリートの壁面と面一状態で露出する。
【００２１】
最後に図７に示すように、型枠支持用コーン１１を取り外し、セパレータ１５の防水処理を行う。
【産業上の利用可能性】
【００２２】
この考案の型枠支持用コーンは、通常のコンクリート壁の打設作業においてのみならず、鉄筋コンクリートの打設作業やその他のコンクリート構造物の打設作業にも公的に使用することができる。
例えば鉄筋コンクリート構造物の製作に際しては、型枠支持用コーンを長くすることにより、一般的な構造物のかぶりの確保が行えるとともに、水の浸入防止にも役立たせることができる。
【図面の簡単な説明】
【００２３】
【図１】この考案の型枠支持用コーンの１実施例を示す側面図である。
【図２】その正面図である。
【図３】その背面図である。
【図４】型枠の組立完了の状態を示す側面図である。
【図５】型枠の脱型の第１手順を示す側面図である。
【図６】型枠の脱型の第２手順を示す側面図である。
【図７】型枠の脱型の第３手順を示す側面図である。
【図８】従来の型枠支持用コーンを説明する側面図である。
【符号の説明】
【００２４】
１１  型枠支持用コーン
１２  コーン本体
１３  雌ネジ筒
１４  雌ネジ部
１５  セパレータ
１６  軸足
１７  コンクリート型枠
１８  フランジ
【図１】
0003116063.tif 000003
【図２】
0003116063.tif 000004
【図３】
0003116063.tif 000005
【図４】
0003116063.tif 000006
【図５】
0003116063.tif 000007
【図６】
0003116063.tif 000008
【図７】
0003116063.tif 000009
【図８】
0003116063.tif 000010